(57)【要約】【課題】従来の空気清浄機は表示部の表示位置が固定されているので、空気清浄機の設置場所によっては表示部の表示内容が見づらいという課題があり、空気清浄機本体の設置場所に関わらず、表示部の表示内容を見やすい空気清浄機を提供することを目的としている。【解決手段】ガスセンサー５により検出された空気中の汚れ状態及びファンモーター３の運転状態を表示する表示部６の位置を調整する可動部７を本体内に備え、可動部７は回転軸７ａ及びベルト７ｂにて形成され、表示部６と接続することにより、表示部の表示位置を可動でき、使用者が表示部の表示内容を見やすくて使いやすい空気清浄機が得られる。【選択図】図１
2008253917.tif 000002
【特許請求の範囲】
【請求項１】
本体に設けた吸気口と、この吸気口から吸気した汚れ空気を清浄化する浄化手段と、この浄化手段に通風する送風手段と、空気中の汚れ成分を検出する汚れ検出手段と、前記汚れ検出手段により検出された空気中の汚れ状態及び前記送風手段の運転状態を表示する表示部を備えた空気清浄機であって、前記表示部の位置を調整することができる可動部を備えたことを特徴とする空気清浄機。
【請求項２】
可動部は表示部の位置を上下方向に調整することができるようにしたことを特徴とする請求項１記載の空気清浄機。
【請求項３】
可動部は表示部の位置を左右方向に調整することができるようにしたことを特徴とする請求項１記載の空気清浄機。
【請求項４】
可動部は表示部の位置を回転方向に調整することができるようにしたことを特徴とする請求項１記載の空気清浄機。
【請求項５】
可動部の動作を制御する制御部を備え、表示部の位置を自動で調整することができるようにしたことを特徴とする請求項１〜４いずれか記載の空気清浄機。
【請求項６】
表示部の位置を自動または手動のどちらでも調整することができるようにしたことを特徴とする請求項５記載の空気清浄機。
【請求項７】
表示部に人検出手段を備えたことを特徴とする請求項５または６記載の空気清浄機。
【請求項８】
人検出手段が人を検出した方向に、表示部の位置を調整することを特徴とする請求項７記載の空気清浄機。
【請求項９】
人検出手段が人を検出しない場合、表示部の位置を停止しないようにしたことを特徴とする請求項７または８記載の空気清浄機。
【請求項１０】
空気清浄機本体とは別に設けたリモコン送信部と、表示部にリモコン受信部を備えたことを特徴とする請求項５〜９いずれか記載の空気清浄機。
【請求項１１】
リモコン送信部の置いてある方向に、表示部の位置を調整することを特徴とする請求項１０記載の空気清浄機。
【請求項１２】
リモコン送信部により表示部の位置を調整することができるようにしたことを特徴とする請求項１０または１１記載の空気清浄機。
【発明の詳細な説明】
【技術分野】
【０００１】
本発明は、粉塵センサーおよびガスセンサーにより室内の空気汚れを検出し、制御部が送風手段を駆動して室内空気を吸い込み、浄化手段を通して清浄化する空気清浄機に関するものである。
【背景技術】
【０００２】
従来、この種の空気清浄機は下記に記載されたものが知られている。
【０００３】
以下その空気清浄機について図１８および図１９を用いて説明する。図に示すように、空気清浄機本体１０１には、前方に吸気口１０２、後方にはモーター１０４、ファン１０５が設けられている。また上方には排気口１０６、吸気口１０２とファン１０５の間にはフィルター１０３を有し、さらにファンの運転風量「静か」「弱」「標準」「強」「急速」及び切タイマー時間「１Ｈ」「２Ｈ」「４Ｈ」「８Ｈ」を表示する表示部１０７を設けている。表示部１０７は５つのＬＥＤで構成されており、それぞれＬＥＤ１０７ａ、１０７ｂ、１０７ｃ、１０７ｄ、１０７ｅを備えている。
【０００４】
上記構成において、使用者がファンの運転風量を設定する場合にファンの運転風量「静か」の表示はＬＥＤ１０７ａを点灯させる。またファンの運転風量「急速」の表示はＬＥＤ１０７ａ、１０７ｂ、１０７ｃ、１０７ｄ、１０７ｅを点灯させる。また、使用者が切タイマー時間を設定する場合に切タイマー時間「２Ｈ」の表示はＬＥＤ１０７ａ、１０７ｂを点灯させる。
【特許文献１】特開２００１−３０４６６８号公報
【発明の開示】
【発明が解決しようとする課題】
【０００５】
このような従来の空気清浄機では、空気清浄機本体の設置場所に関わらず、表示部の表示位置が固定されているので、空気清浄機本体の設置場所によっては使用者が表示部の表示内容を見づらいという課題があり、空気清浄機本体の設置場所に関わらず、表示部の表示内容を見やすくすることが要求されている。
【０００６】
本発明は、このような従来の課題を解決するものであり、空気清浄機本体の設置場所に関わらず、使用者が表示部の表示内容を見やすくて使いやすい空気清浄機を提供することを目的としている。
【課題を解決するための手段】
【０００７】
本発明の空気清浄機は上記目的を達成するために、本体に設けた吸気口と、この吸気口から吸気した汚れ空気を清浄化する浄化手段と、この浄化手段に通風する送風手段と、空気中の汚れ成分を検出する汚れ検出手段と、前記汚れ検出手段により検出された空気中の汚れ状態及び前記送風手段の運転状態を表示する表示部を備え、前記表示部の位置を調整することができる可動部を備えるようにしたものである。
【０００８】
この手段により空気清浄機本体の設置場所に応じて、表示部の表示位置を可動でき、使用者が表示部の表示内容を見やすくて使いやすい空気清浄機が得られる。
【０００９】
また、本発明の空気清浄機は上記目的を達成するために、可動部は表示部の位置を上下方向に調整することができるようにしたものである。
【００１０】
この手段により空気清浄機本体の設置場所に応じて、表示部の表示位置を可動でき、使用者が表示部の表示内容を見やすくて使いやすい空気清浄機が得られる。
【００１１】
また、本発明の空気清浄機は上記目的を達成するために、可動部は表示部の位置を左右方向に調整することができるようにしたものである。
【００１２】
この手段により空気清浄機本体の設置場所に応じて、表示部の表示位置を可動でき、使用者が表示部の表示内容を見やすくて使いやすい空気清浄機が得られる。
【００１３】
また、本発明の空気清浄機は上記目的を達成するために、可動部は表示部の位置を回転方向に調整することができるようにしたものである。
【００１４】
この手段により空気清浄機本体の設置場所に応じて、表示部の表示位置を可動でき、使用者が表示部の表示内容を見やすくて使いやすい空気清浄機が得られる。
【００１５】
また、本発明の空気清浄機は上記目的を達成するために、可動部の動作を制御する制御部を備え、表示部の位置を自動で調整することができるようにしたものである。
【００１６】
この手段により空気清浄機本体の設置場所に応じて、表示部の表示位置を自動で可動でき、使用者が表示部の表示内容を見やすくて使いやすい空気清浄機が得られる。
【００１７】
また、本発明の空気清浄機は上記目的を達成するために、表示部の位置を自動または手動のどちらでも調整することができるようにしたものである。
【００１８】
この手段により空気清浄機本体の設置場所に応じて、表示部の表示位置を自動または手動で可動でき、使用者が表示部の表示内容を見やすくて使いやすい空気清浄機が得られる。
【００１９】
また、本発明の空気清浄機は上記目的を達成するために、表示部に人検出手段を備えるようにしたものである。
【００２０】
この手段により人検出手段の検出範囲を可動でき、人検出手段の人を検出する精度が向上した空気清浄機が得られる。
【００２１】
また、本発明の空気清浄機は上記目的を達成するために、人検出手段が人を検出した方向に、表示部の位置を調整するようにしたものである。
【００２２】
この手段により表示部の表示位置を使用者のいる方向に自動で可動でき、使用者が表示部の表示内容を見やすくて使いやすい空気清浄機が得られる。
【００２３】
また、本発明の空気清浄機は上記目的を達成するために、人検出手段が人を検出しない場合、表示部の位置を停止しないようにしたものである。
【００２４】
この手段により人検出手段が人を検出するまで表示部を可動し続けることができ、人検出手段の人を検出する精度が向上した空気清浄機が得られる。
【００２５】
また、本発明の空気清浄機は上記目的を達成するために、空気清浄機本体とは別に設けたリモコン送信部と、表示部にリモコン受信部を備えるようにしたものである。
【００２６】
この手段によりリモコン受信部の受信範囲を可動でき、リモコン受信部の送信信号を受信する精度が向上した空気清浄機が得られる。
【００２７】
また、本発明の空気清浄機は上記目的を達成するために、リモコン送信部の置いてある方向に、表示部の位置を調整するようにしたものである。
【００２８】
この手段により表示部の表示位置をリモコン送信部の置いてある方向に自動で可動でき、リモコン受信部の送信信号を受信する精度が向上した空気清浄機が得られる。
【００２９】
また、本発明の空気清浄機は上記目的を達成するために、リモコン送信部により表示部の位置を調整することができるようにしたものである。
【００３０】
この手段により空気清浄機本体から離れた位置からでも表示部の表示位置を可動でき、使用者が表示部の表示内容を見やすくて使いやすい空気清浄機が得られる。
【発明の効果】
【００３１】
本発明によれば、本体に設けた吸気口と、この吸気口から吸気した汚れ空気を清浄化する浄化手段と、この浄化手段に通風する送風手段と、空気中の汚れ成分を検出する汚れ検出手段と、前記汚れ検出手段により検出された空気中の汚れ状態及び前記送風手段の運転状態を表示する表示部を備え、前記表示部の位置を調整することができる可動部を備えることにより、空気清浄機本体の設置場所に応じて、表示部の表示位置を可動でき、使用者が表示部の表示内容を見やすくて使いやすいという効果のある空気清浄機を提供できる。
【００３２】
また、可動部は表示部の位置を上下方向に調整することができるようにしたことにより、空気清浄機本体の設置場所に応じて、表示部の表示位置を可動でき、使用者が表示部の表示内容を見やすくて使いやすいという効果のある空気清浄機を提供できる。
【００３３】
また、可動部は表示部の位置を左右方向に調整することができるようにしたことにより、空気清浄機本体の設置場所に応じて、表示部の表示位置を可動でき、使用者が表示部の表示内容を見やすくて使いやすいという効果のある空気清浄機を提供できる。
【００３４】
また、可動部は表示部の位置を回転方向に調整することができるようにしたことにより、空気清浄機本体の設置場所に応じて、表示部の表示位置を可動でき、使用者が表示部の表示内容を見やすくて使いやすいという効果のある空気清浄機を提供できる。
【００３５】
また、可動部の動作を制御する制御部を備え、表示部の位置を自動で調整することができるようにしたことにより、空気清浄機本体の設置場所に応じて、表示部の表示位置を自動で可動でき、使用者が表示部の表示内容を見やすくて使いやすいという効果のある空気清浄機を提供できる。
【００３６】
また、表示部の位置を自動または手動のどちらでも調整することができるようにしたことにより、空気清浄機本体の設置場所に応じて、表示部の表示位置を自動または手動で可動でき、使用者が表示部の表示内容を見やすくて使いやすいという効果のある空気清浄機を提供できる。
【００３７】
また、表示部に人検出手段を備えることにより、人検出手段の検出範囲を可動でき、人検出手段の人を検出する精度が向上できるという効果のある空気清浄機を提供できる。
【００３８】
また、人検出手段が人を検出した方向に、表示部の位置を調整することにより、表示部の表示位置を使用者のいる方向に自動で可動でき、使用者が表示部の表示内容を見やすくて使いやすいという効果のある空気清浄機を提供できる。
【００３９】
また、人検出手段が人を検出しない場合、表示部の位置を停止しないようにしたことにより、人検出手段が人を検出するまで表示部を可動し続けることができ、人検出手段の人を検出する精度が向上できるという効果のある空気清浄機を提供できる。
【００４０】
また、空気清浄機本体とは別に設けたリモコン送信部と、表示部にリモコン受信部を備えることにより、リモコン受信部の受信範囲を可動でき、リモコン受信部の送信信号を受信する精度が向上できるという効果のある空気清浄機を提供できる。
【００４１】
また、リモコン送信部の置いてある方向に、表示部の位置を調整することにより、表示部の表示位置をリモコン送信部の置いてある方向に自動で可動でき、リモコン受信部の送信信号を受信する精度が向上できるという効果のある空気清浄機を提供できる。
【００４２】
また、リモコン送信部により表示部の位置を調整することができるようにしたことにより、空気清浄機本体から離れた位置からでも表示部の表示位置を可動でき、使用者が表示部の表示内容を見やすくて使いやすいという効果のある空気清浄機を提供できる。
【発明を実施するための最良の形態】
【００４３】
本発明の請求項１記載の発明は、本体に設けた吸気口と、この吸気口から吸気した汚れ空気を清浄化する浄化手段と、この浄化手段に通風する送風手段と、空気中の汚れ成分を検出する汚れ検出手段と、前記汚れ検出手段により検出された空気中の汚れ状態及び前記送風手段の運転状態を表示する表示部を備え、前記表示部の位置を調整することができる可動部を備えるようにしたものであり、空気清浄機本体の設置場所に応じて、表示部の表示位置を可動でき、使用者が表示部の表示内容を見やすくて使いやすいという作用を有する。
【００４４】
また、可動部は表示部の位置を上下方向に調整することができるようにしたものであり、空気清浄機本体の設置場所に応じて、表示部の表示位置を可動でき、使用者が表示部の表示内容を見やすくて使いやすいという作用を有する。
【００４５】
また、可動部は表示部の位置を左右方向に調整することができるようにしたものであり、空気清浄機本体の設置場所に応じて、表示部の表示位置を可動でき、使用者が表示部の表示内容を見やすくて使いやすいという作用を有する。
【００４６】
また、可動部は表示部の位置を回転方向に調整することができるようにしたものであり、空気清浄機本体の設置場所に応じて、表示部の表示位置を可動でき、使用者が表示部の表示内容を見やすくて使いやすいという作用を有する。
【００４７】
また、可動部の動作を制御する制御部を備え、表示部の位置を自動で調整することができるようにしたものであり、空気清浄機本体の設置場所に応じて、表示部の表示位置を自動で可動でき、使用者が表示部の表示内容を見やすくて使いやすいという作用を有する。
【００４８】
また、表示部の位置を自動または手動のどちらでも調整することができるようにしたものであり、空気清浄機本体の設置場所に応じて、表示部の表示位置を自動または手動で可動でき、使用者が表示部の表示内容を見やすくて使いやすいという作用を有する。
【００４９】
また、表示部に人検出手段を備えるようにしたものであり、人検出手段の検出範囲を可動でき、人検出手段の人を検出する精度が向上できるという作用を有する。
【００５０】
また、人検出手段が人を検出した方向に、表示部の位置を調整するようにしたものであり、表示部の表示位置を使用者のいる方向に自動で可動でき、使用者が表示部の表示内容を見やすくて使いやすいという作用を有する。
【００５１】
また、人検出手段が人を検出しない場合、表示部の位置を停止しないようにしたものであり、人検出手段が人を検出するまで表示部を可動し続けることができ、人検出手段の人を検出する精度が向上できるという作用を有する。
【００５２】
また、空気清浄機本体とは別に設けたリモコン送信部と、表示部にリモコン受信部を備えるようにしたものであり、リモコン受信部の受信範囲を可動でき、リモコン受信部の送信信号を受信する精度が向上できるという作用を有する。
【００５３】
また、リモコン送信部の置いてある方向に、表示部の位置を調整するようにしたものであり、表示部の表示位置をリモコン送信部の置いてある方向に自動で可動でき、リモコン受信部の送信信号を受信する精度が向上できるという作用を有する。
【００５４】
また、リモコン送信部により表示部の位置を調整することができるようにしたものであり、空気清浄機本体から離れた位置からでも表示部の表示位置を可動でき、使用者が表示部の表示内容を見やすくて使いやすいという作用を有する。
【００５５】
以下、本発明の実施の形態について図面を参照しながら説明する。
【００５６】
（実施の形態１）
図１〜図３に示すように、空気清浄機の本体１は略箱形に形成され、本体１の側面には吸気口２を設けている。本体１内には空気を清浄化するための浄化手段としてのフィルター４と、このフィルター４に通風する送風手段としてのファンモーター３が備えられ、本体前面には空気中の汚れ成分を検出する汚れ検出手段としてのガスセンサー５と、ガスセンサー５により検出された空気中の汚れ状態及びファンモーター３の運転状態を表示する表示部６を備えている。表示部６の表示方法はＬＥＤの点灯、消灯などがある。また、表示部６の位置を調整する可動部７が本体内に備えられ、可動部７は回転軸７ａ及びベルト７ｂにて形成され、表示部６と接続されている。
【００５７】
上記構成において、図１に示すように表示部６は可動部７のベルト７ｂが回転軸７ａを支点に回転することにより、ベルト７ｂに接続された表示部６が上下方向に移動し、表示部６の位置を上下方向に調整することができる。また図２に示すように表示部６は可動部７のベルト７ｂが回転軸７ａを支点に回転することにより、ベルト７ｂに接続された表示部６が左右方向に移動し、表示部６の位置を左右方向に調整することができる。また図３に示すように表示部６は可動部７の回転軸７ａが回転することにより、回転軸７ａに接続された表示部６が回転し、表示部６の位置を回転方向に調整することができる。
【００５８】
このように空気清浄機本体の設置場所に応じて、表示部の表示位置を可動でき、使用者が表示部の表示内容を見やすくて使いやすくできる。
【００５９】
なお、実施の形態１では図１〜図３に示すように可動部７を回転軸７ａとベルト７ｂとしたが、回転軸７ａに換えて歯車であってもよく、その作用効果に差異を生じない。
【００６０】
（実施の形態２）
本実施の形態は前記実施の形態１と制御方法が異なるのみであり、同一構成のものは同一番号を付して詳しい説明は省略する。
【００６１】
図４〜図７に示すように、可動部７の回転軸７ａに可動部７を制御する制御部８のステッピングモーター８ｂを備えている。また、制御部８にはステッピングモーター８ｂを駆動するマイクロコンピュータ８ａを備えている。
【００６２】
上記構成において、図４と図５に示すように制御部８のマイクロコンピュータ８ａによりステッピングモーター８ｂを自動制御し、ステッピングモーター８ｂを駆動する。ステッピングモーター８ｂの駆動によりステッピングモーター８ｂに接続された回転軸７ａが回転し、ベルト７ｂが回転する。ベルト７ｂが回転することにより、ベルト７ｂに接続された表示部６が自動で上下方向に移動し、表示部６の位置を上下方向に調整することができる。また図４と図６に示すように制御部８のマイクロコンピュータ８ａによりステッピングモーター８ｂを自動制御し、ステッピングモーター８ｂを駆動する。ステッピングモーター８ｂの駆動によりステッピングモーター８ｂに接続された回転軸７ａが回転し、ベルト７ｂが回転する。ベルト７ｂが回転することにより、ベルト７ｂに接続された表示部６が自動で左右方向に移動し、表示部６の位置を左右方向に調整することができる。また図４と図７に示すように制御部８のマイクロコンピュータ８ａによりステッピングモーター８ｂを自動制御し、ステッピングモーター８ｂを駆動する。ステッピングモーター８ｂの駆動によりステッピングモーター８ｂに接続された回転軸７ａが回転し、回転軸７ａに接続された表示部６が自動で回転方向に移動し、表示部６の位置を回転方向に調整することができる。
【００６３】
このように空気清浄機本体の設置場所に応じて、表示部の表示位置を自動または手動で可動でき、使用者が表示部の表示内容を見やすくて使いやすくできる。
【００６４】
（実施の形態３）
本実施の形態は前記実施の形態１あるいは２と制御方法が異なるのみであり、同一構成のものは同一番号を付して詳しい説明は省略する。
【００６５】
図８に示すように、表示部６に人検出手段としての焦電型赤外線センサ９を設け、焦電型赤外線センサ９の人検出信号を制御部８のマイクロコンピュータ８ａに送信し、人の有無を検出している。
【００６６】
上記構成において、図９に示すように上下方向に可動する表示部６に焦電型赤外線センサ９を備えることにより、焦電型赤外線センサの検出範囲１０は表示部６が空気清浄機の本体１の上部に位置する場合は図９（イ）のようになり、表示部６が空気清浄機の本体１の下部に位置する場合は図９（ロ）のようになる。また図１０に示すように左右方向に可動する表示部６に焦電型赤外線センサ９を備えることにより、焦電型赤外線センサ９の検出範囲１０は表示部６が空気清浄機の本体１の左部に位置する場合は図１０（イ）のようになり、表示部６が空気清浄機の本体１の右部に位置する場合は図１０（ロ）のようになる。また図１１に示すように回転方向に可動する表示部６に焦電型赤外線センサ９を備えることにより、焦電型赤外線センサの検出範囲１０は表示部６が上向きに位置する場合は図１１（イ）のようになり、表示部６が下向きに位置する場合は図１１（ロ）のようになる。また、焦電型赤外線センサ９が人を検出した場合、人の検出をマイクロコンピュータ８ａに送信し、マイクロコンピュータ８ａがステッピングモーター８ｂの駆動を停止することにより、表示部６の表示方向を人を検出した方向に調整することができる。また、焦電型赤外線センサ９が人を検出しない場合、マイクロコンピュータ８ａがステッピングモーター８ｂを駆動し続けることにより、図９〜図１１に示されるように焦電型赤外線センサの検出範囲１０を拡大することができる。
【００６７】
このように人検出手段の検出範囲を可動でき、人検出手段の人を検出する精度が向上できる。
【００６８】
また、表示部の表示位置を使用者のいる方向に自動で可動でき、使用者が表示部の表示内容を見やすくて使いやすくできる。
【００６９】
（実施の形態４）
本実施の形態は前記実施の形態１あるいは２と制御方法が異なるのみであり、同一構成のものは同一番号を付して詳しい説明は省略する。
【００７０】
図１２と図１３に示すように、空気清浄機の本体１とは別にリモコン送信部としての赤外線センサー１２を備えたリモコン本体１３と、表示部６にリモコン受信部としての受光ユニット１１を設け、赤外線センサー１２の送信信号を受光ユニット１１で受信し、受光ユニット１１から制御部８のマイクロコンピュータ８ａに送信している。
【００７１】
上記構成において、図１４に示すように上下方向に可動する表示部６に受光ユニット１１を備えることにより、受光ユニットの検出範囲１４は表示部６が空気清浄機の本体１の上部に位置する場合は図１４（イ）のようになり、表示部６が空気清浄機の本体１の下部に位置する場合は図１４（ロ）のようになる。また図１５に示すように左右方向に可動する表示部６に受光ユニット１１を備えることにより、受光ユニットの検出範囲１４は表示部６が空気清浄機の本体１の左部に位置する場合は図１５（イ）のようになり、表示部６が空気清浄機の本体１の右部に位置する場合は図１５（ロ）のようになる。また図１６に示すように回転方向に可動する表示部６に受光ユニット１１を備えることにより、受光ユニットの検出範囲１４は表示部６が上向きに位置する場合は図１６（イ）のようになり、表示部６が下向きに位置する場合は図１６（ロ）のようになる。また図１７（イ）（ロ）に示すように、受光ユニット１１がリモコン本体１３の赤外線センサー１２からの送信信号を受信した場合、送信信号をマイクロコンピュータ８ａに送信し、マイクロコンピュータ８ａがステッピングモーター８ｂの駆動を停止することにより、表示部６の表示方向を赤外線センサー１２の送信信号を受信した方向に調整することができる。また、使用者がリモコン本体１３を操作することにより、リモコン本体１３の赤外線センサー１２から送信信号を送信し、受光ユニット１１が送信信号を受信し、マイクロコンピュータ８ａがステッピングモーター８ｂを駆動する。
【００７２】
このようにリモコン受信部の受信範囲を可動でき、リモコン受信部の送信信号を受信する精度が向上できる。
【００７３】
また、表示部の表示位置をリモコン送信部の置いてある方向に自動で可動でき、リモコン受信部の送信信号を受信する精度が向上できる。
【００７４】
また、空気清浄機本体から離れた位置からでも表示部の表示位置を可動でき、使用者が表示部の表示内容を見やすくて使いやすくできる。
【産業上の利用可能性】
【００７５】
表示部を可動でき、表示部の表示内容を見やすくできるので、使用者から離れた場所で使用するエアコンや除湿機などの空調機器などの表示部などにも適用できる。
【図面の簡単な説明】
【００７６】
【図１】本発明の実施の形態１の空気清浄機の構成図
【図２】同空気清浄機の構成図
【図３】同空気清浄機の構成図
【図４】本発明の実施の形態２の制御ブロック図
【図５】同空気清浄機の構成図
【図６】同空気清浄機の構成図
【図７】同空気清浄機の構成図
【図８】本発明の実施の形態３の制御ブロック図
【図９】同表示部の上下方向可動における焦電型赤外線センサの検出範囲を示す図（（イ）同表示部が空気清浄機本体の上部に位置する場合の同焦電型赤外線センサの検出範囲を示す図、（ロ）同表示部が空気清浄機本体の下部に位置する場合の同焦電型赤外線センサの検出範囲を示す図）
【図１０】同表示部の左右方向可動における焦電型赤外線センサの検出範囲を示す図（（イ）同表示部が空気清浄機本体の左部に位置する場合の同本体天面から見た焦電型赤外線センサの検出範囲を示す図、（ロ）同表示部が空気清浄機本体の右部に位置する場合の同本体天面から見た焦電型赤外線センサの検出範囲を示す図）
【図１１】同表示部の回転方向可動における焦電型赤外線センサの検出範囲を示す図（（イ）同表示部が上向きに位置する場合の同本体側面から見た焦電型赤外線センサの検出範囲を示す図、（ロ）同表示部が下向きに位置する場合の同本体側面から見た焦電型赤外線センサの検出範囲を示す図）
【図１２】本発明の実施の形態４の制御ブロック図
【図１３】同リモコン本体の外観斜視図
【図１４】同表示部の上下方向可動における受光ユニットの検出範囲を示す図（（イ）同表示部が空気清浄機本体の上部に位置する場合の同本体側面から見た受光ユニットの検出範囲を示す図、（ロ）同表示部が空気清浄機本体の下部に位置する場合の同本体側面から見た受光ユニットの検出範囲を示す図）
【図１５】同表示部の左右方向可動における受光ユニットの検出範囲を示す図（（イ）同表示部が空気清浄機本体の左部に位置する場合の同本体天面から見た受光ユニットの検出範囲を示す図、（ロ）同表示部が空気清浄機本体の右部に位置する場合の同本体天面から見た受光ユニットの検出範囲を示す図）
【図１６】同表示部の回転方向可動における受光ユニットの検出範囲を示す図（（イ）同表示部が上向きに位置する場合の同本体側面から見た受光ユニットの検出範囲を示す図、（ロ）同表示部６下向きに位置する場合の同本体側面から見た受光ユニットの検出範囲を示す図）
【図１７】同表示部の表示方向とリモコン本体の位置関係を示す図（（イ）同本体天面から見た受光ユニットの検出範囲を示す図、（ロ）同本体側面から見た受光ユニットの検出範囲を示す図）
【図１８】従来の空気清浄機の外観斜視図
【図１９】同空気清浄機の表示部の構成図
【符号の説明】
【００７７】
１    本体
２    吸気口
３    ファンモーター
４    フィルター
５    ガスセンサー
６    表示部
７    可動部
７ａ  回転軸
７ｂ  ベルト
８    制御部
８ａ  マイクロコンピュータ
８ｂ  ステッピングモーター
９    焦電型赤外線センサ
１０  焦電型赤外線センサの検出範囲
１１  受光ユニット
１２  赤外線センサー
１３  リモコン本体
１４  受光ユニットの検出範囲
【図１】
2008253917.tif 000003
【図２】
2008253917.tif 000004
【図３】
2008253917.tif 000005
【図４】
2008253917.tif 000006
【図５】
2008253917.tif 000007
【図６】
2008253917.tif 000008
【図７】
2008253917.tif 000009
【図８】
2008253917.tif 000010
【図９】
2008253917.tif 000011
【図１０】
2008253917.tif 000012
【図１１】
2008253917.tif 000013
【図１２】
2008253917.tif 000014
【図１３】
2008253917.tif 000015
【図１４】
2008253917.tif 000016
【図１５】
2008253917.tif 000017
【図１６】
2008253917.tif 000018
【図１７】
2008253917.tif 000019
【図１８】
2008253917.tif 000020
【図１９】
2008253917.tif 000021